(57)【要約】      （修正有）【課題】簡単な構造のゲージを使用することで熟練を要することなく短時間でパチンコ盤面に打ち込んである釘角度を測定し、角度の微調整を可能とした遊技機釘角度測定ゲージを提供する。【解決手段】馬蹄形型、Ｈ型のゲージ１であって、その支持脚４が単独で及び／又はスライド体３０と一体及び／又は組立可能で、そのゲージに照明システム３、滑り止め機構１４、種々のスライド可能又は移動可能、角度表示等の機能を付加する等の種々の工夫を凝らした。【選択図】図１
0003139557.tif 000002
【実用新案登録請求の範囲】
【請求項１】
基板と該基板の両端に少なくとも２個の支持脚を設け、しかも該支持脚の下方部に該支持脚と一体に及び／又は着脱自在に設けられた以下の角度測定冶具とからなるゲージであって、該角度測定冶具の外形が逆円錐型、逆先細３角柱型、３面丸み付き３角柱型、４面丸み付き４角柱型、４隅丸み付き４角柱型、５面丸み付き円柱型、６面丸み付き円柱型、７面丸み付き円柱型、８面丸み付き円柱型、４隅角取り直方体型、４隅角取り４角柱型、４面・４隅角取り４角柱型、柱状突起型、ピン型、二股型、突起付きベース板型のいずれかであることを特徴とするパチンコ釘角度測定ゲージ。
【請求項２】
支持脚の下方部に照明システムを設け、該照明システムが発光又は蛍光塗料の塗布面による、支持脚内部に照明部が埋め込み、支持脚外付けで豆球の設置、或いはＬＥＤ、蛍光灯、液晶又は照明用ＩＣの発光機構の設置のいずれかであり、且つスイッチ部、電源部を基板及び／又は基板に嵌挿可能な中空部を有する４角柱からなるスライド体及び／又は支持脚のいずれかに設けることを特徴とする請求項１記載のパチンコ釘角度測定ゲージ。
【請求項３】
基板と該基板の両端に少なくとも２個の支持脚を設け、しかも該支持脚の下方部に該支持脚と一体に及び／又は着脱自在に設けられた以下の角度測定冶具とからなるゲージであって、該角度測定冶具の外形が、支持脚の下方部が角度測定用矩形、楔型、円錐型、円筒型、３角柱型、４角柱型、５角柱型、６角柱型、８角柱型、上下丸み付き４角柱型、板型、台形型のいずれかである角度測定冶具が支持脚に設けられており、
且つ支持脚内部に照明部が埋め込まれ、且つスイッチ部、電源部を基板及び／又は基板に嵌挿可能な中空部を有する４角柱からなるスライド体及び／又は支持脚のいずれかに設けることを特徴とする、パチンコ釘角度測定ゲージ。
【考案の詳細な説明】
【技術分野】
【０００１】
本考案は、パチンコ機のような遊技機の盤面上に打ち込まれた多数本の釘角度を測定し、盤面上の釘位置によって釘を上向き、下向き等所定の角度に調整し、設定するための遊技機釘角度測定ゲージに関するものである。
【背景技術】
【０００２】
大衆の遊戯娯楽機としては種々のものが提供されているが、最も大衆に親しまれ、長年楽しまれている遊技機としてパチンコがあり、駅の周辺や商店街等において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである。
【０００３】
パチンコ盤面の釘の角度測定や調整は、ハンマーやペンチ等を使用し経験に基ずく目測で行っているが、この作業は非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が提供されている。
例えば、本出願人に係る特許文献１〜４には、本考案の基礎となる技術が示されている。
即ち、特許文献１には、馬蹄形型ゲージの支持脚の脚部の一辺に釘を沿わせて角度測定・調整を行うことが、特許文献２には、馬蹄形ゲージの応用であって、支持脚の脚部自体が角度測定面自体を構成させ、また一方の支持脚をスライド体と一体に形成して、役物等の障害物を避ける技術が示されている。
特許文献３には、馬蹄形型ゲージの支持脚の脚部に角度測定冶具を着脱自在に設けて釘をその冶具に沿わせて角度測定・調整を行うとか、また一方の支持脚をスライド体と一体に形成して、役物等の障害物を避ける技術が示されている。
特許文献４には、馬蹄形型ゲージを基本とし、種々の形状のゲージが示され、その支持脚に角度測定冶具を一体に設けて釘をその冶具に沿わせて角度測定・調整を行うことが示されている。
【０００４】
【特許文献１】登録実用新案第３０４２６６３号
【特許文献２】特開２００１−２６９４５０号公報
【特許文献３】特開２００２−２２４３２０号公報
【特許文献４】特開２００２−２７２９３０号公報
【考案の開示】
【考案が解決しようとする課題】
【０００５】
本考案は、本出願人に係る従来法を発展させるべく、簡単な構造のゲージ本体に基づいて種々の構造上の改良を試み、熟練を要することなく短時間で釘角度を測定し、角度の微調整を可能とした遊技機釘角度測定ゲージを提供することを目的とする。
【課題を解決するための手段】
【０００６】
上記の目的を達成するために、本考案のゲージでは、馬蹄形ゲージ、Ｈ型ゲージを基本とし、その構造上（支持脚の種々の応用、照明部の取付け、角度測定上の基板の取扱い、角度測定冶具の種類等）に種々の工夫を凝らした結果、本考案のゲージを完成するに至った。
即ち、本考案は以下の通りである。
なお、理解に資するために該当部品番号や図面番号を付加した。
（１）基板２と該基板の両端に１個ずつの支持脚４、４’を有する馬蹄形ゲージ、又は２個ずつの支持脚４、４’；４ａ、４ｂを有する馬蹄形ゲージを背中合わせに結合したＨ型ゲージにおいて、
基板２の少なくとも１端に設けた支持脚がスライド体３０付き支持脚でスライド（図１、２−（イ）、５）又は移動可能であり（図２−（イ））、しかも該支持脚の下方部に該支持脚と一体に（例えば図２）及び／又は着脱自在に設けられた以下の角度測定冶具とからなるゲージであって、
該角度測定冶具の外形が支持脚の下方部が逆円錐型（図１３−（ニ））、３面丸み付き３角柱型（図１４−（チ））、４面丸み付き４角柱型（図１４−（リ））、４隅角取り４角柱型（図１５−（ト））、５面丸み付き円柱型（図１５−（ロ））、６面丸み付き円柱型（図１５−（ハ））、７面丸み付き円柱型（図１５−（ニ））、８面丸み付き円柱型（図１５−（ホ））、４隅角取り直方板型（図１５−（ヘ））、４隅丸み付き４角柱型（図１５−（イ））、４面・４隅角取り４角柱型（図１５−（チ））、柱状突起型（図９−（チ）〜（ル）、図１０−（イ）、（ロ））、ピン型（図１１−（ト））、二股型（図１１−（ヘ）、図１６−（ロ））、突起付きベース板型（図１２−（ト）〜（リ）、図１３−（イ）〜（ロ））のいずれかであるパチンコ釘角度測定ゲージを提供する。また、
、（図９〜１９）
（２）支持脚の下方部に照明システム（照明部３、３’；３ａ、３ｂ９を設け、該照明システムが発光又は蛍光塗料の塗布面による、支持脚内部に照明部が埋め込み（図１）、支持脚外付けで豆球の設置（図４−（イ））、或いはＬＥＤ、蛍光灯、液晶又は照明用ＩＣの発光機構の設置のいずれかであり、且つスイッチ部６、電源部１２を基板２及び／又はスライド体３０及び／又は支持脚４、４’；４ａ、４ｂのいずれかに設ける点にも特徴を有する。また、
（３）基板２と該基板の両端に１個ずつの支持脚４、４’を有する馬蹄形ゲージ、又は２個ずつの支持脚４、４’；４ａ、４ｂを有する馬蹄形ゲージを背中合わせに結合したＨ型ゲージにおいて、
基板２の少なくとも１端に設けた支持脚がスライド体３０付き支持脚でスライド（図１、２−（イ）、５）又は移動可能であり（図２−（イ））、しかも該支持脚の下方部に該支持脚と一体に（例えば図２）及び／又は着脱自在に設けられた以下の角度測定冶具とからなるゲージであって、
該角度測定冶具の外形が、支持脚の下方部が角度測定用矩形５、５’（図９−（イ））、楔型（図９−（ロ）〜（ト）、図１６−（イ））、円錐型（図１３−（ハ））、円筒型（図１３−（ホ））、３角柱型、４角柱型（図１０−（ト））、５角柱型（図１４−（ハ））、６角柱型、８角柱型（図１４−（ヘ））、上下丸み付き４角柱型（図１４−（ト））、板型（図１０−（ニ）〜（ヌ）、図１１−（チ）、図１２−（イ）〜（ハ）、図１６−（ハ））、台形型（図１２−（ハ））のいずれかであるパチンコ釘角度測定ゲージである点にも特徴を有する。
【０００７】
本考案は、下記の実施の態様をも包含する。
（１）ゲージを構成する基板及び／又は支持脚の途中に更に支持脚を連設及び／又は着脱自在に設けた点にも特徴を有する。また、
（２）スライド体付き支持脚をスライド可能とする機構が、該支持脚４’及び／又は４ｂを基板２に嵌挿させるか（図１−（イ）、５−（イ））或いは基板２中央に設けた縦状スリット３５に突起付きスライド体３０、３０’の嵌着による（図２−（イ））ものである点にも特徴を有する。また、
（３）スライド体付き支持脚を移動可能とする機構が、基板に設けた複数個の縦状ネジ孔２１に相対するネジ２３、２３’付きスライド体の嵌着による（図３−（イ））点にも特徴を有する。また、
（４）照明システムとして、スイッチ部６、電源部１２を磁性ベース板４０に載せ、照明部３、３’を豆電球としてその間を配線（コード）３１’で連絡して取外し自在とした（図４−（イ））（１２）点にも特徴を有する。
【０００８】
（５）着脱自在な角度測定冶具が磁性ゴム等の磁性材料から構成され、ゲージが鉄材等の磁性材料を吸着可能な吸磁性材料から構成される点にも特徴を有する。また、
（６）スライド体付き支持脚が組立可能（例えば図２−（イ）、５）及び／又は一体で（例えば図４）ある点にも特徴を有する。また、
（７）  基板の少なくとも１端に設けた支持脚がスライド体付き支持脚でスライド可能（例えば図１−（イ））又は移動可能（図３−（イ））であり、一方、基板２の他端に設けた支持脚が基部２２、２２’と連設され蝶ネジ１５、１５’又はネジ２３、２３’により基板２に固定される（図１、５−（イ））、或いは基板２と連設される（図６〜８）点にも特徴を有する。また、
（８）嵌着させたスライド体付き支持脚のふらつき防止のために基板２に長形横突起２８を設け、相対するスライド体３０裏面にくぼみ２８’を設けて嵌着させるか（図４−（イ）、（ロ））、或いはスリット３５付き基板２の両側面に一定間隔に突起３９を設け、相対するスライド体３０裏面にくぼみ３９を設けて嵌着させる（図４−（ハ））点にも特徴を有する。また、
（９）支持脚の下方に釘傘を係止するフック、段差、突起、へこみ（凹部）、釘軸合線、支持脚の先端に丸み当接面のいずれかを設ける点にも特徴を有する。また、
（１０）基板２又はスライド体３０に滑り止め孔１４等の滑り止め機構（例えば図１、５）を設ける点にも特徴を有する。また、
（１１）各スイッチ部６、電源部１２と照明部３、３’；３ａ、３ｂとの接続のために、両者の接続をコネクト１７、１７’；１７ａ、１７ｂを介して（図２、５）カールコード３１又はコード３１’により行う（図２、６〜８）点にも特徴を有する。また、
【０００９】
（１２）該ゲージの基板、支持脚、スライド体のいずれかに角度測定表示を設ける点にも特徴を有する。また、
（１３）基板と支持脚及び／又はスライド体とをラッチにより仮固定する点にも特徴を有する。
（１４）基板の端にくぼみを設け、輪ゴムで挟み、基板に嵌挿したスライド体又は支持脚の脱落防止に役立つ特徴を有する（図５）。
（１５）基板両端の支持脚の長さが異なっていて、基板とパチンコ盤面とが平行でなくても良い特徴を有する（図８）。
（１６）支持脚が基板に直角でなくても良い特徴を有する（図２−（イ））。
（１７）基板の端にくぼみとそれに丸型ゴムを挟んで、スライド体、支持脚の脱落防止に役立てる特徴を有する。
【考案の効果】
【００１０】
（１）簡単な構造のゲージ本体を使用することで熟練を要することなく短時間で釘角度を測定し、角度の微調整を可能とする。
（２）ゲージを分解、組み立て可能とし、特に、支持脚を交換可能とし、支持脚をスライド体と一体に又は組み立て可能としてスライド可能とする構造上の工夫を行い、ゲージとして使用し易い。
（３）パチンコ盤面に打ち込んだ釘の上下方向又は左右方向の釘角度の測定を短時間で可能である。
（４）１°単位あるいは０．５°単位のように決められた度数単位毎の角度測定面付き支持脚を複数枚用意するか、種々の角度測定冶具だけを多数用意ことで多様な範囲の角度測定が可能となる。
【００１１】
（５）１台のゲージで上向き、下向きと夫々異なる４回の傾斜角度の測定が可能であり、決められた度数単位毎の角度測定面又は角度測定冶具を準備することで多様な角度測定が可能となる。
（６）支持脚は基板に沿って移動可能であって、所定の位置で停止して蝶ネジ１５等で固定できるから、釘集合体や役物を容易に避けうる。
（７）片手で持ち易く、測定操作がし易いので、角度測定を効率よく短時間で行うことが可能である。
（８）熟練を要することなく釘角度の調整を行うことができ、入賞率や出玉率を制御することができる。しかも、釘角度の測定や微調整に限らず、複数台のパチンコ機の特定の釘が同じ傾斜角度を有しているかどうかの確認作業にも使用できる。
【考案を実施するための最良の形態】
【００１２】
以下、図面に基づいて本考案を詳細に説明する。
図１は本考案のゲージ１の基本形を示し、このゲージを用いて、パチンコ盤が垂直盤面に植設した釘角度を測定・調整する状態を説明する模式図である。
本考案のゲージは、長形の基板２と、その一端に嵌挿してスライド可能とした支持脚４’と、その他端に蝶ネジ１５で交換可能に固定した支持脚４とからなる馬蹄形構造のゲージを示す模式図である。
この場合に、蝶ネジ１５（図１−（ロ））の代わりに普通のネジを使って固定式としても良く、種々の角度を有する角度測定面５、５’を持つ支持脚４、４’を用意すれば、パチンコ盤面８に植設された釘９の希望する種々の釘角度に簡単に対応できる。
ゲージ材としては、ステンレス鋼（ステンレス−ハガネ）等の金属材或いはアクリル樹脂等の合成樹脂材から構成されている。
また、このゲージは、照明システム付きである点も大きな特徴である。
即ち、両支持脚４、４’の脚部に照明部３、３’を設け、回路１１、１１’を介してコネクト１７にカールコード３１によりスイッチ部６、電源部１２と接続して照明システムを構成させる。
このゲージでは、支持脚は先細り形状を呈していて、支持脚自体が角度測定面５、５’を形成している。
【００１３】
図１−（ロ）は、図１−（イ）のゲージ１の上部分解図を示し、基板２の上部にネジ孔２１が設けられ、支持脚４に基部２２が一体に設けられ、上記ネジ孔２１に対応ずる箇所にネジ孔２１’が設けられて蝶ネジ１５で止めることで支持脚４を基板２に固定できる。
この際に、基板２の上端に止板を設けると支持脚４の緩みを防ぐことができる。
また、支持脚の基部２２と基板２との固定方式として基板２の端部に基部２２を嵌着させても良い。
【００１４】
図２は、Ｈ型ゲージの変形であって、スライド体３０、３０’に一体に連設された上下２個ずつの支持脚４、４’；４ａ、４ｂが基板２に傾斜している図２−（イ）と、該支持脚が基板２に直角である図３−（イ）とである。
また、照明システムとして、各照明部位とスイッチ部６、電源部１２の部位との間は、図示されないコネクト等を介してカールコード３１又はコードにより接続される。
図２−（イ）は、基板２の両端にそれぞれ２個ずつの支持脚４、４’；４ａ、４ｂが一体化した相対する２個のスライド体３０内が、２本等のネジ２３、２３’により組み立てられ、基板２の中央に設けられた縦状スリット３５に嵌合して、上下に褶動してスライド可能となる。
上下の支持脚は、スライド体３０に直角に限らずに、種々の傾斜角度で連設されているので、釘角度が鋭角又は鈍角のいずれの場合にも、簡単に対応できる。  この場合に、上下の支持脚はこの２本のネジ２３、２３’により揺動しない。勿論、ネジの代わりにリベット等でかしめても良く、これによると完全に固定される。また、ネジは蝶ネジ１５等にすると使い勝手が良い。
この上下の支持脚は２本のネジ２３、２３’を緩めて外せば、簡単に交換可能となる。
【００１５】
図３−（イ）は、図２−（イ）のゲージにおいて、上下の支持脚がスライド体３０に直角に連設された標準的なケースであって、更に、基板２に対してスリット３５の代わりに、一定間隔で多数のネジ孔２１が切ってあって、支持脚が連設されたスライド体３０面上のネジ２３を基板２内のネジ孔２１にネジ込むことによってスライド体３０が固定され、ネジ孔２１にネジ込む位置を変えることによって、簡単に役物等の邪魔物を回避できる。
図３−（ロ）は、図３−（イ）のゲージの分解図である。
【００１６】
図４−（イ）は、図２−（イ）のゲージにおいて、スライド体３０付き支持脚を基板２の縦状スリット３５にスライドさせるのに、基板２に横向きに複数個の線状突起２８を設け、それに相対してスライド体３０の内側にくぼみ３２を設け（図４−（ロ））、上記線状突起２８にはめ込んで支持脚のふらつきを防止できる。
また、線状突起２８の代わりに、図４−（ハ）に示すように、基板２のスリット３５の
両側に複数個の円形突起３９を設け、それに相対してスライド体３０の内側にくぼみ３２
を設け、上記円形突起３９にはめ込んで支持脚のふらつきを防止できる。
このような線状突起２８、円形突起３９等の突起は一例であって、基板２と支持脚とのズレを防止できれば良く、その形状、数量、位置は特に限定されない。  照明システムとしては、支持脚に照明部を設けるのではなく、スイッチ部６と電源部１２とを載せた磁性ベース板４０をスライド体３０に載せて、直接にコード３１’を配した豆電球による照明部３を用いるものであって、着脱自在として使用の便宜が図れる。
【００１７】
図５−（イ）は、図３−（イ）のＨ型ゲージにおいて、組立式スライド体３０付き支持脚４’を基板２に嵌挿させてスライド可能とし、基板２の他端には組立式基部２２付き支持脚４を基板２にネジ２３で固定した構造のゲージである。
また、スライド体のように表側、裏側双方からネジをずらして固定しても良く、強度が増加する。更に、支持脚４と４ａを一体化しても良く、これにより安価にできる。
照明システムは、スイッチ部６、電源部１２と照明部３、３’；３ａ、３ｂとを回路１１、１１’；１１ａ、１１ｂと図示されていないコネクト１７、１７’；１７ａ、１７ｂを介して接続をカールコード３１、コード３１’で行うものである。
図５−（ロ）は、図５−（イ）のゲージの分解図であり、２個の挟持板１８、１８’間に支持脚４、４’；４ａ、４ｂに連設した連結部１９、１９’を置き、三者に設けたネジ孔２１、２１’に蝶ネジ１５、１５’を表裏から差し込み組み立てる構造を示している。
このように蝶ネジを挟持板の表裏から差し込むと強度が増す利点がある。
また、基板２の端にくぼみ３２を設け、輪ゴム、丸型ゴム等３３や図示しないクリップ等で挟むことにより、基板２に嵌挿したスライド体３０の脱落防止に役立つ。
【００１８】
図６−（イ）のゲージは、図５−（イ）のＨ型ゲージにおいて、基板２の他端には基板２に連設した２個の支持脚４、４’が設けられている。
図６−（イ）は、垂直盤面に植設された釘角度を測定、調整する状態を説明する模式図である。
図６−（ロ）は、図６−（イ）の分解図であって、その構造は、図５−（ロ）の場合と本質的に変わらない。
【００１９】
図７は、図６−（イ）のゲージを用いて、水平盤面に植設された釘角度を測定、調整する状態を説明する模式図である。
図８は、図６−（イ）のゲージにおいて、組立式スライド体３０付き支持脚４’と４ｂとの長さが基板２の他端に連設した２個の支持脚４と４ａとの長さより長いゲージを用いて垂直盤面に植設された釘角度を測定、調整する状態を説明する模式図である。
これは、基板２とパチンコ盤面８とが必ずしも平行でなくても釘角度の測定、調整が可能であることを示している。
【００２０】
（Ａ）ゲージの形態
（イ）本考案のゲージは、基板２の両端に１個ずつの支持脚４、４’を有する馬蹄形ゲージ（図１）、又は２個ずつの支持脚４、４’；４ａ、４ｂを有する、馬蹄形ゲージを背中合わせに結合したＨ型ゲージである（図２８）。
（ロ）このゲージは、ゲージを構成する基板２及び／又は支持脚４、４’；４ａ、４ｂの途中に更に支持脚を連設及び／又は着脱自在に設けても良い（本出願人に係わる特願２００５−３６７７６６号の図８、９参照）。
【００２１】
（ハ）このゲージは、支持脚４、４’；４ａ、４ｂがスライド体３０と一体に（図２〜４）、基板２と一体に（６〜８）及び／又は該支持脚がスライド体３０に組立可能に取り付けられ（図１、５〜８）、基部２２に組立可能に取り付けられ（図１、５）、且つ基板２に対して支持脚４、４’及び／又は４ａ、４ｂがスライド体３０を介してスライド可能（図１、２〜８）及び／又は支持脚４、４’が基部２２を介して固定された（図１）構造のゲージである。
支持脚がスライド体３０又は基部２２に組立可能に取り付けられる場合、両者がネジ孔２１にネジ２３又は蝶ネジ１５をネジ込むことで行われ、特に蝶ネジ１５、１５’を使用すると、基板２への装着が容易となる。
（ニ）支持脚は、基板２に対して直角の場合が標準であるが、必ずしも直角でなくて傾斜していても良く（図２−（イ）、）基板２がパチンコ盤面８に平行でなく傾斜しても良く（図８）、多様な釘角度に容易に対応できて便利である。
（ホ）基板２の両端に設ける支持脚の長さは同じ長さの場合が標準であるが、必ずしも同じ長さでなくて基板２がパチンコ盤面８に平行でなくても（図８）十分に対応できる。
（ヘ）スライド体、基部等に設けるネジの位置、数量については、有効な位置、数量とすることができる。
（ト）このゲージはパチンコのみならず、雀球（ジャンキュウ）、アレンジボール、スマートボール盤面等と釘等からなる遊技体であれば、全てに有効な効果を提供する。
【００２２】
（Ｂ）滑り止め穴
（イ）本考案のゲージでは、丸状の滑り止め孔１４、１４’が例えば基板２の両端に（図１）又はスライド体３０に１個（図５〜８）を設ける。
例えば、図１のように、基板２に設けた場合、滑り止め孔孔１４の位置で両側から基板２を指先で持てば、指先が滑り止め孔１４内に入り、基板２を安定して持つことができ、滑り落とすことがない。
（ロ）滑り止め孔１４は１個でも良く、基板２の長さ方向にそって複数個形成しても良い。
（ハ）滑り止め孔１４に代え、基板２の表面に凹凸面を形成して滑り止めとしても良く、また、滑り難い材料であるゴム、シリコン等を施工するか又は指の当たる所に窪み加工やギザギザを施しても良い。
（ニ）丸状の滑り止め孔１４に代え、△状、四角状の角形等の形状にとらわれない穴のような多様な形状をも場合に応じて使用できる。
（ホ）滑り止め穴は、基板２のみならず、スライド体３０、支持脚に１個又は複数個設けても良い。
また、この滑り止め技術は、本考案の全てのゲージに応用可能である。
【００２３】
（Ｃ）照明システム
図１のゲージでは、ゲージにより釘角度の測定・調整時に、手元を明るく照らす照明システムとして、照明部３、３’を支持脚４、４’の下方部に付設及び／又は外付けして着脱自在に（図４−（イ））できる。
磁性ベース板４０の使用の場合を含めて（図４−（イ））、この照明システムは全てのゲージに着装可能である。
また、照明システムとして、上記照明部３、３’の代わりに発光又は蛍光塗料による塗布面を用いても良い。
照明部を用いる照明システムにおいて、電源部１２とスイッチ部６をスライド体３０（例えば図１、２）及び／又は基板２に設け、それらと照明部３、３’；３ａ、３ｂとを回路１１、１１’によりコネクト１７、１７’を介して接続することにより構成させることができる。
【００２４】
回路を２回路とすると、電池、スイッチを２セット設けることや、切替えスイッチを設けることができて使い勝手が良い。
また、回路間の接続を配線又はコード３１’（図５−（イ））に限らず、伸縮可能なカールコード３１も使用でき（例えば図１、２−（イ））、更に回路間の着脱をコネクト１７、１７’；１７ａ、１７ｂを介して行う（図５−（ロ）、６−（ロ））こともできる。
照明部３、３’としては、豆電球、ＬＥＤ、蛍光灯、液晶等任意の照明備品や照明用ＩＣや発光又は蛍光塗布面等を含む発光機構を指す。
更に、電源部１２とスイッチ部６を磁性ベース板４０に載せて、照明部３として豆球を用いる（図４−（イ））ことにより、必要の場合に簡単に持ち運べる利点がある。
スライド体３０のようにスライド部分には、電車のパンタグラフのような摺電部の電気供給装置で配線すれば良い。
この照明システムは本考案の全てのゲージに応用可能である。
【００２５】
（ａ）スイッチ部
スイッチ部６とは、照明を作動・停止するためのオン・オフ又は回路の分岐機能を持つ押しボタンスイッチ、タッチスイッチ等のスイッチ部を指し、軽量、小粒なものが好ましい。
（ｂ）電源部
電源部１２とは、照明部を作動するための電気的エネルギーを貯えた電池等や収納室等又は外部からの供給部等を指す。
【００２６】
（ｃ）回路部
回路部１１、１１’とは、電源部、スイッチ部、照明部等を有効に作動させるためのコード、プリント配線（ＰＣ，ＦＰＣ）、或いはスライド体３０（例えば図１、２−（イ））のように基板２に対して上下にスライドする場合には、スライド体３０と回路１１、１１’間を伸縮自在なカール（コイル状）コード３１（例えば図１、２）や緩めて配線したコード３１’（図５−（イ））や電車のパンタグラフのような摺電部の電気供給装置で配線すれば良い。この配線には例えば銅線プリント回路を用いても良い。
更に、照明部３、３’；３ａ、３ｂを支持脚下方に、スイッチ部６、電源部１２とをスライド体３０に設け、照明部３、３’；３ａ、３ｂ間を回路構成（回路Ａ〜Ｄ１１、１１’；１１ａ、１１ｂ）により連結させている。
更に、支持脚と基板、脚部とが一体化しない場合の回路構成は、支持脚が回転可能、支持脚が基板に解離・結合及び／移動可能、支持脚と基板が嵌合する場合の回路構成は、支持脚と基板との接点が互いに結合時に導通するコネクト機構を採用すれば良い。
また、基板２の両端に夫々２個づつの支持脚４、４’；４ａ、４ｂを連設又は組み立て可能とする場合には、４個の照明部を結ぶ回路は４個としても良い。
【００２７】
（ｄ）磁性ベース板
図４−（イ）は、豆球ランプ等からなる照明部３を設け、スイッチ部６と電源部１２とを磁性ベース板４０に載せ、これを吸磁性の支持脚４の基部２２に着脱自在としても良く、必要の場合に簡単に持ち運べる利点がある。勿論、ゲージ全体を吸磁性材料で構成させても良い。
この磁性ベース板４０の活用により照明部を簡単に持ち運びでき、また照明部の不使用時にはゲージとは別に簡単に保管できる。
この磁性ベース板４０は、支持脚３の基部２２に載せるのに限らず、基板２、スライド体３０等に載せても良い。
また、これら照明システムにおける部品構成については技術上有効な位置、数量として設けることが可能である。
【００２８】
（Ｄ）角度表示について
（イ）本考案のゲージには、必要に応じてゲージの釘角度の選択がし易いように、各ゲージの基板端部の肩部の内外部分（本出願人自身による特願２００５−３６７７６６号の図２等参照）に角度表示し、角度測定面の傾斜度数を表示する（図３）。
この場合、例えば９１°なら１°と、８９°なら−１°等と直角（９０°）を基準として表示しても良い。
その表示法としては基板等に印刷、レッテル、塗装、シール、刻印、研磨、レーザー加工、薬品等による角度表示も角度が認識可能であれば、その方法に制限はない。
【００２９】
（ロ）角度表示は、基板のみならず支持脚、角度測定冶具に設けても良い。  また、この角度表示技術は本考案の全てのゲージに応用可能である。
（ハ）１°単位或いは０．１°単位等で角度測定面５、５’や角度測定冶具１０、１０’を異にする支持脚を交換するのみで多様な角度測定が可能である。
（ニ）このようにすることによって、支持脚の角度測定面の変更及び／又は角度測定冶具と着脱可能とすることで、多様な角度測定に対応することができ、全ての角度測定のためのゲージ１を多数用意することがなく、取り扱いが容易で、製品管理がし易く、経済的である。
（ホ）支持脚の脚部に設ける角度測定冶具は、支持脚に一体型でも着脱自在型とすることも可能であり、着脱自在の場合に、角度測定冶具の材質を磁性材料で構成させ、ゲージの材質を鉄材等の磁性材料を吸着可能な鉄、ステンレス鋼等の吸磁性材料で構成させることが必要である。
【００３０】
このスライド体３０は組立式（例えば図５、６）の代わりに支持脚４’が一体化したスライド体としても良い（図４）。
基板と支持脚の接触面等にラッチ等を設けて仮固定できるようにしても良い。  図６のような角度測定冶具付きゲージにおいて、基板２とスライド体３０、支持脚４、４’間を図示しないガイド部を介してラッチ状にして仮固定可能としても良い）。
【００３１】
（Ｅ）角度測定冶具
図９〜１６に示した角度測定冶具の種類には、角度測定冶具と共に、角度測定のために必要な補助仕組み（例えば、種類３の（ロ）釘軸合線、（ハ）段差、種類４の（ニ）へこみ）も含む。
（なお、以下の図面中の各冶具の名称は、必ずしも適切でないため、実用新案登録請求の範囲及びそれに対応した説明は、図面中の冶具の特徴並びに技術常識を基礎にした名称とした。）
図９は、角度測定冶具の種類１の（形状）と（使用例）を示し、（イ）は角度測定面付き先端丸型冶具、（ロ）は上側一体型の楔形冶具、（ハ）は上側着脱型の楔形冶具、（ニ）は下側一体型の楔形冶具、（ホ）は下向着脱型の楔形冶具、（ヘ）は両側一体型楔形冶具、（ト）は両側着脱型楔形冶具、（チ）は上向（柱状）突起一体型、（リ）は上向（柱状）突起着脱型、（ヌ）は下向（柱状）突起一体型、（ル）は下向（柱状）突起着脱型を示す。
【００３２】
図１０は、角度測定冶具の種類２の（形状）と（使用例）を示し、（イ）は両側短（柱状）突起一体型冶具、（ロ）は両側（柱状）突起着脱型冶具、又は突起は四角形に限らず、また冶具の両左右等に設けても良い。また、１つ、３つ等幾つでも良い。（ハ）はピン型冶具型で、丸棒に限らず、左右等に設けても良く、３つ、４つ等幾つでも良い。
（ニ）〜（ヌ）は板型冶具であって、（ニ）は右付プレート（板）型冶具、（ホ）は左付けプレート（板）型冶具、（ヘ）は両側付けプレート（板）型冶具、（ト）は４角柱型冶具又は４面体型で、先広形でも良い。
（チ）は上（下）面付け先細プレート（板）型冶具、（リ）は上（下）面付け逆細プレート（板）型冶具、（ヌ）は上（下）面付け先薄プレート（板）型冶具又は先広形でも良い。
【００３３】
図１１は、角度測定冶具の種類３の（形状）と（使用例）を示し、（イ）は支持脚自体を角度測定面としての利用、（ロ）は支持脚の中心に釘軸合線２４付きまたは左側に設けても良いし、（ハ）は（イ）の角度測定用矩形状冶具の途中の一側面に段差１３を設けて釘傘の回避、また、段差は冶具の下側に設けても良い。（ニ）は（イ）の矩形状冶具の途中の両側面に段差１３、１３’を設けて釘傘の回避、（ホ）は（イ）の矩形状冶具の当接面を丸み２９とし、冶具６の角度変化の時に、パチンコ盤面とスムースに接触可能であり、図２０に記載の冶具全てに応用可能であり、（ヘ）は嵌挿（二股）状型冶具３４であって、ａ−ｂ、ｃ−ｄの平行で合わせる、（ト）はピン型冶具であって、矩形状支持脚の側面に互いに離れたピン２６を設けピン２６と釘軸９とを合わせるか、また、丸形に限らず、左に、左右に設けても良く、また、３つ、４つ等設けても良く、（チ）は板型冶具であって、矩形状支持脚に長プレート２７を設け、また、左側に、または左右に設けても良い。
【００３４】
図１２は、角度測定冶具の種類４の（形状）と（使用例）を示し、（イ）〜（ヘ）は角度測定用矩形状冶具であって、（イ）は上下面矩形型（着脱自在式又は一体式も可能）では上下２面で計測が可能であり、また冶具を水平にしての使用も可能である。（ロ）矩形状冶具の当接面が丸み２９を有すると当接面が直線（ロ’）の場合のように支持脚がパチンコ盤面８から浮くことがなく、盤面上に矩形状冶具が安定して接地できる（ロ”）。
（ハ）羽根板（台形）型冶具、（ニ）へこみ４１付き支持脚冶具、また、へこみは冶具の下側、上下に設けても良い。
（ホ）段差１３付き支持脚冶具で、冶具は一体型、着脱型に適用可能であり、また、段差は冶具の下側に設けても良く、また、支持脚の先端が丸め２９であって、この技術は本考案の全ての冶具に応用可能であり、（ヘ）両側段差付き１３、１３’支持脚であり、
（ト）〜（リ）は突起付きベース板型であって、（ト）は低壁部着脱シーソ（突起付きベース板）型、（リ）高壁部着脱シーソ（突起付きベース板）型では、低壁部４２、高壁部４２’の数は、ベース板４３上に２個に限らず幾つでも可能であり、また、このベース板型は壁部の高さによって、上下に角度変化が可能であり、支持脚とベース板４３との位置によって左右に角度変化が可能であり、釘角度３６０°計測が可能である。
【００３５】
図１３は、度測定冶具の種類５の（形状）と（使用例）を示し、（イ）、（ロ）は突起付きベース板型であって、（イ）は低壁部一体（着脱式）シーソ（突起付きベース板）型での使用例は（イ’）横視図であり、（ロ）高壁部一体シーソ（突起付きベース板）型では、（ロ’）の見下し図の使用例で分かるように左右の角度変化が可能である。
（ハ）〜（ホ）は丸形であって、その中（ハ）円錐型では、丸形なので釘角度３６０°の計測可能であり、円錐面に釘軸合線２４を入れるとそれに合わせて計測を行い得て使い易く、（ハ’）の横視図による使用例で分かるように、大きく、小さく、楕円状にしたりして、多様なパターンが可能であり、（ニ）逆円錐型、（ホ）円筒型である。また、丸形の他に楕円等でも良い。
（ヘ）〜（ト）は三角柱型、三面体型でも良く、断面が三角形でも希望角度で形状変化するものであって、その中（ヘ）逆先細型の斜面を利用して釘角度３６０°の計測可能であり、また斜面に釘軸合線２４を入れるとそれに合わせて計測を行い得て使い易く、（ト）三角柱型である。
【００３６】
図１４は、角度測定冶具の種類６の（形状）と（使用例）を示し、（イ）〜（ハ）は５角柱型又は５面体型であり、釘角度３６０°の方向で計測可能であって、その中（イ）先細型であって、５面での計測可能であり、５つのパターンの釘角度が可能であり、（ロ）逆先細型、（ハ）正５角柱型である。
（ニ）〜（ヘ）は６角柱型または６面体型であって、その中（ニ）先細型であって６面にて計測可能で６つのパターンが取れ、この応用として８面体も可能であり、（ホ）逆先細型、（ヘ）正６角柱型である。
これらの冶具を活用することにより３６０°の計測が可能である。
（ト）〜（リ）は変則角柱型であって、その中（ト）２面へこみ２面計測（上下丸み付き４角柱）型であって、２つのパターンが取れ、また、計測部は上部のみ、下部のみ、左右等に設けても良い。（チ）３面へこみ３面計測（３面丸み付き３角柱）型であって、３つのパターンが取れ、（リ）４面へこみ４面計測（４面丸み付き４角柱）型であって、４つのパターンが取れる。
これらの冶具を活用することにより３６０°の計測が可能である。
【００３７】
図１５は、角度測定冶具の種類７の（形状）と（使用例）を示し、（イ）〜（チ）は全て釘角度３６０°方向の計測可能であって、その中（イ）４面へこみ４面計測（４隅丸み付き４角柱型）型であって、４つのパターンが取れ、（ロ）５面へこみ５面計測（５面丸み付き円柱型）型であって、５つのパターンが取れ、（ハ）６面へこみ６面計測（６面丸み付き円柱型）型であって、６つのパターンが取れ、（ニ）７面へこみ７面計測（７面丸み付き円柱型）型であって、７つのパターンが取れ、（ホ）８面へこみ８面計測（８面丸み付き円柱）型であって、８つのパターンが取れ、また、それ以上へこみを設けても良い。
（ヘ）４隅角取り２枚組（４隅角取り直方体）型であって、４面計測可能で４つのパターンが取れ、１隅、２隅等幾つも設けても良く、２枚以上設けても良い。（ト）４隅角取り４面計測（４隅角取り４角柱）型であって、４つのパターンが取れ、１隅、２隅等幾つも設けても良い。（チ）井形状８面計測（４面・４隅角取り４角柱）型であって、８つのパターンが取れ、１隅、２隅等幾つも設けても良い。
【００３８】
図１６は、角度測定冶具の種類１〜７の一部改良であって、その（形状）と（使用例）を示す。
（イ）は、図１８−（ヘ）の応用であって両側一体楔型であり、（ロ）は図２０の（ヘ）の応用であって嵌挿（二股）型であり、（ハ）は図１９の（ニ）の応用であって短プレート（板）型であり、この短プレート板は２枚に限らず何枚でも良く、また冶具の左右等に設けても良い。
（ニ）は図２３−（ニ）の６角形先細型の応用であって８角形先細型である。
図１７は、角度の呼称例を示し、（イ）釘９をパチンコ盤面８に垂直方向に、（ロ）は釘９を水平方向にセットした場合を示す。
【図面の簡単な説明】
【００３９】
【図１】図１−（イ）は、本考案のゲージの基本形である馬蹄形ゲージを示し、図１−（ロ）は、図１−（イ）のゲージの上部分解図である。
【図２】図２−（イ）は、上下２個ずつの支持脚が基板に傾斜している場合であり、スライド体裏面のネジ頭がスリットに嵌合してスライド可能となる模式図であり、図２−（ロ）はその分解図である。
【図３】図３−（イ）は、Ｈ型ゲージであって、スライド体３０付き支持脚を移動させるのに、基板に一定間隔にネジ孔を設け、相対するスライド体裏面に蝶ネジをネジ込み簡単に仮固定し、蝶ネジを緩めて簡単に他のネジ孔に移動させる機構を説明する模式図であり、図３−（ロ）は、その分解図である。
【図４】図４−（イ）は、スライド体を係止するのに線状突起、図４−（ロ）はその側面図であり、図４−（ハ）は円形突起を示す。
【図５】図５−（イ）は、Ｈ型ゲージであって、組立式スライド体付き支持脚を基板に嵌挿させてスライド可能とし、基板の他端には支持脚を基部に固定した構造のゲージを示す。図５−（ロ）は、その分解図である。
【図６】図６−（イ）は、Ｈ型ゲージであって、組立式スライド体付き支持脚を基板に嵌挿させてスライド可能とし、基板の他端には基板に連設した２個の支持脚が設けられたゲージを示し、且つ垂直盤面に植設された釘角度を測定、調整する状態を説明する模式図である。図６−（ロ）は、その分解図である。
【図７】Ｈ型ゲージを用いて、水平盤面に植設された釘角度を測定、調整する状態を説明する模式図である。
【図８】基板両端にあるそれぞれ２個の支持脚の長さが互いに異なり基板とパチンコ盤面とが平行でないＨ型ゲージを用いて、垂直盤面に植設された釘角度を測定、調整する状態を説明する模式図である。
【図９】角度測定冶具の種類１の（形状）と（使用例）を示し、（イ）角度測定面付き先端丸型冶具であり、（ロ）〜（ト）は楔型冶具であり、（ロ）は上側一体型、（ハ）は上側着脱型、（ニ）は下側一体型、（ホ）は下側着脱型、（ヘ）は両側一体型、（ト）は両側着脱型を示し、（チ）は上向（柱状）突起冶具一体型、（リ）は上向（柱状）突起冶具着脱型、（ヌ）は下向（柱状）突起冶具一体型、（ル）は下向（柱状）突起冶具着脱型を示す。
【図１０】角度測定冶具の種類２の（形状）と（使用例）を示し、（イ）両側（柱状）突起一体型、（ロ）両側（柱状）突起着脱型、（ハ）ピン型であり、（ニ）〜（ヌ）は板型冶具であり、（ニ）右付けプレート（板）型、（ホ）左付けプレート（板）型、（ヘ）は両側付けプレート（板）型、（ト）は４角柱型、（チ）上（下）面付プレート（板）型、（リ）上（下）面付先細プレート（板）型、（ヌ）上（下）面付先薄プレート（板）型である。
【図１１】角度測定冶具の種類３の（形状）と（使用例）を示し、（イ）〜（ホ）は角度測定面としての矩形型であって、（イ）支持脚の下方部を角度測定面としての矩形型、（ロ）釘軸合線付き矩形型、（ハ）片側段差付き矩形型、（ニ）両側段差付き矩形型、（ホ）当接面に丸み付け矩形型、（ヘ）嵌挿（二股）型、（ト）ピン型、（チ）右付けプレート（板）型である。
【図１２】角度測定冶具の種類４の（形状）と（使用例）を示し、（イ）、（ロ）、（ニ）〜（ヘ）は角度測定面としての矩形型であって、（イ）上下面矩形型（着脱自在式又は一体式も）、（ロ）矩形型（先端丸み型）、（ハ）羽根板（台）型、（ニ）片側へこみ付き支持脚、（ホ）両側段差付き支持脚、（ヘ）両側段差付き支持脚であり、（ト）〜（リ）は突起付きベース板型冶具であって、（ト）低壁部着脱シーソ型、（リ）高壁部着脱シーソ型である。
【図１３】角度測定冶具の種類５の（形状）と（使用例）を示し、（イ）低壁部一体式シーソ（突起付きベース板）型、（ロ）高壁部一体式シーソ（突起付きベース板）型、（ハ）円錐型、（ニ）逆円錐型、（ホ）円筒型、（ヘ）逆先細三角柱型、（ト）正三角柱型である。
【図１４】角度測定冶具の種類６の（形状）と（使用例）を示し、（イ）〜（ハ）は５角柱型であって、（イ）先細型、（ロ）逆先細型、（ハ）正５角柱型であり、（ニ）〜（ヘ）は６角柱型であって、（ニ）先細型、（ホ）逆先細型、（ヘ）正六角柱型であり、（ト）〜（リ）は変則角柱型であって、（ト）２面へこみ２面計測（上下丸み付き４角柱）型、（チ）３面へこみ３面計測（３面丸み付き３角柱）型、（リ）４面へこみ４面計測（４面丸み付き４角柱）型である。
【図１５】角度測定冶具の種類７の（形状）と（使用例）を示し、（イ）４面へこみ４面計測（４隅丸み付き４角柱）型、（ロ）５面へこみ５面計測（５面丸み付き円柱）型、（ハ）６面へこみ６面計測（６面丸み付き円柱）型、（ニ）７面へこみ７面計測（７面丸み付き円柱）型、（ホ）８面へこみ８面計測型、（ヘ）４隅角取り２枚組（４隅角取り直方体）型、（ト）４隅角取り４面計測（４隅角取り４角柱）型、（チ）井形状８面計測（４隅・４面角取り４角柱）型である。
【図１６】角度測定冶具の種類１〜７の一部改良であって、その（形状）と（使用例）を示し、（イ）両側一体楔型、（ロ）嵌挿（二股）型、（ハ）短プレート（板）型、（ニ）８角先細型である。
【図１７】角度の呼称例を示し、（イ）釘９をパチンコ盤面８に垂直方向に、（ロ）は釘９を水平方向にセットした場合を示す。
【符号の説明】
【００４０】
１  ゲージ
２  基板
３、３’；３ａ、３ｂ  照明部
４、４’；４ａ、４ｂ  支持脚
５、５’；５ａ、、５ｂ  角度測定面
６  スイッチ部
７  当接面
８  パチンコ盤面
９  釘
１０、１０’、１０ａ、１０ｂ  角度測定冶具
１１、１１’、１１ａ、１１ｂ  回路
１２  電源部
１３  段差
１４、１４’  滑り止め孔
１５、１５’  蝶ネジ
１６  丸孔
１７  コネクト
１８、１８’  挟持板
１９、１９’  連結部
２０  磁性ベース板
２１  ネジ孔
２２  基部
２３  ネジ
２４  釘軸合線
２５、２５’  突起
２６、２６’  ピン
２７、２７’  長プレート
２８  線状突起
２９  丸み
３０  スライド体
３１、３１’  カールコード、コード
３２  くぼみ
３３  輪ゴム
３４  嵌挿部
３５  スリット
３６  ナット
３９  円形突起
４１  へこみ
４２、４２’  低壁部、高壁部
４３  ベース板
４５  角取り
【図１】
0003139557.tif 000003
【図２】
0003139557.tif 000004
【図３】
0003139557.tif 000005
【図４】
0003139557.tif 000006
【図５】
0003139557.tif 000007
【図６】
0003139557.tif 000008
【図７】
0003139557.tif 000009
【図８】
0003139557.tif 000010
【図９】
0003139557.tif 000011
【図１０】
0003139557.tif 000012
【図１１】
0003139557.tif 000013
【図１２】
0003139557.tif 000014
【図１３】
0003139557.tif 000015
【図１４】
0003139557.tif 000016
【図１５】
0003139557.tif 000017
【図１６】
0003139557.tif 000018
【図１７】
0003139557.tif 000019